(57)【要約】【課題】折り畳みやすいうえに、多数の剥離可能な箇所が設けられるシート状印刷物を提供する。【解決手段】両面に印刷が施されたシート本体２が折り重ねられた折込み広告１である。  そして、シート本体の一部である下層２ｂの上に折り重ねられた上層２ａが剥離可能となるように接合された二層構造を備え、その二層構造となる部分には、左上領域１１と右上領域１２と左下領域１３と右下領域１４との４つの領域が形成される。  さらに、各領域間の上層１１ａ，１２ａ，１３ａ，１４ａ同士は分離しており、上下の領域間の下層には折目２４が設けられる。【選択図】図１
2016047620.tif 000002
【特許請求の範囲】
【請求項１】
両面に印刷が施されたシート本体が折り重ねられたシート状印刷物であって、
前記シート本体の一部である下層の上に折り重ねられた上層が剥離可能となるように接合された二層構造を備え、
前記二層構造となる部分には、左上領域と右上領域と左下領域と右下領域との少なくとも４つの領域が形成されるとともに、
各領域間の上層同士は分離しており、
上下の領域間及び左右の領域間の少なくとも一方の下層には折目が設けられることを特徴とするシート状印刷物。
【請求項２】
前記４つの領域の少なくとも一つには、前記下層と上層とが接着された状態で取り外し可能となる分離領域が形成されることを特徴とする請求項１に記載のシート状印刷物。
【請求項３】
前記折目によってすべての領域の上層が露出面となるように折り畳まれることを特徴とする請求項１又は２に記載のシート状印刷物。
【発明の詳細な説明】
【技術分野】
【０００１】
本発明は、新聞の折込み広告や宣伝のために配布されるチラシ、雑誌や本の綴込み、ブック状玩具、子供向け教材又はダイレクトメールなどに使用されるシート状印刷物に関するものである。
【背景技術】
【０００２】
特許文献１に記載されているように、新聞の折込み広告の料金は、用紙サイズと厚みによって決められており、厚さよりも大きさを小さくする方が料金が安くなるように設定されている。
【０００３】
この特許文献１には、Ｂ３サイズの紙シートを折り重ねて圧着させることで、それよりも小さいＢ４サイズの１枚のシート状にして料金を安くする軽剥離印刷物が開示されている。
【０００４】
一方、特許文献２には、Ｂ３サイズの紙片の左右をＺ状に折り曲げてＢ４サイズに折り畳むことで、２段階に大きく広げて楽しめるようにした新聞の折込み広告が開示されている。
【０００５】
また、特許文献３には、レーザープリンタで印刷可能な１枚のシートの表層が、４つの領域に分割されてそれぞれがシール状の複写式伝票となる構成が開示されている。
【先行技術文献】
【特許文献】
【０００６】
【特許文献１】特開２００２−３６２０６５号公報
【特許文献２】特開２０１０−１５５４６３号公報
【特許文献３】特開２００８−６５８８号公報
【発明の概要】
【発明が解決しようとする課題】
【０００７】
しかしながら剥離型の印刷物は、剥離可能な箇所が多いほど捲る楽しみが増え、印刷可能な面積も広がるので情報量が増加するという利点がある。他方、新聞の折込み広告のように収容面積が制限されている場合や、配布時の取り扱い易さなどから折り畳みやすいことが望ましい。
【０００８】
そこで、本発明は、折り畳みやすいうえに、多数の剥離可能な箇所が設けられるシート状印刷物を提供することを目的としている。
【課題を解決するための手段】
【０００９】
前記目的を達成するために、本発明のシート状印刷物は、両面に印刷が施されたシート本体が折り重ねられたシート状印刷物であって、前記シート本体の一部である下層の上に折り重ねられた上層が剥離可能となるように接合された二層構造を備え、前記二層構造となる部分には、左上領域と右上領域と左下領域と右下領域との少なくとも４つの領域が形成されるとともに、各領域間の上層同士は分離しており、上下の領域間及び左右の領域間の少なくとも一方の下層には折目が設けられることを特徴とする。
【００１０】
ここで、前記４つの領域の少なくとも一つには、前記下層と上層とが接着された状態で取り外し可能となる分離領域を形成することができる。また、前記折目によってすべての領域の上層が露出面となるように折り畳まれる構成とすることができる。
【発明の効果】
【００１１】
このように構成された本発明のシート状印刷物は、両面に印刷が施されたシート本体が折り重ねられた二層構造を備えている。そして、二層構造となる部分には少なくとも４つの領域が形成され、それぞれの上層が捲れるようになっている。さらに、上下の領域間及び左右の領域間の少なくとも一方の下層には折目が設けられている。
【００１２】
このため、上層が被らない折目によって、シート状印刷物を簡単に折り畳むことができる。また、４つ以上の剥離可能な箇所が設けられるので、利用者は捲る楽しみや、そこに隠された新たな情報又は図を見る楽しみを得ることができる。
【００１３】
さらに、下層と上層とが接着された状態で取り外し可能となる分離領域には、はがきやアンケート用紙などを厚みのある状態で設けることができる。特に、重さの下限がある第二種郵便物の通常はがきを分離領域にする場合は、上層と下層を重ねて一体化することによってその制限内に収めやすくなる。
【００１４】
また、折目によってすべての領域の上層が露出面となるように折り畳まれていれば、シート状印刷物を受け取った利用者は、多くの剥離可能な箇所を一度に視認することができる。
【図面の簡単な説明】
【００１５】
【図１】本実施の形態の折込み広告の構成を示した説明図である。
【図２】折り重ねられる前のシート本体の状態を示した説明図である。
【図３】上層と下層とが折り重ねられた状態を示した説明図である。
【図４】すべての上層が露出面となるように折目によって折り畳む工程を示した説明図である。
【図５】はがき本体が取り外された折込み広告を展開した状態を示した説明図である。
【発明を実施するための形態】
【００１６】
以下、本発明の実施の形態について図面を参照して説明する。図１は、本実施の形態のシート状印刷物としての折込み広告１の構成及び使用方法を説明するための図である。
【００１７】
この折込み広告１には、左上領域１１と、右上領域１２と、左下領域１３と、右下領域１４との少なくとも４つの領域が形成される。ここで、後述するはがき本体３は、右下領域１４の一部に設けられる。
【００１８】
そして、左上領域１１、右上領域１２、左下領域１３及び右下領域１４となる部分は、図２に示すような長方形のシート本体２が折り重ねられた二層構造となっている。
【００１９】
このシート本体２は、短辺２１Ａ，２１Ｂと長辺２２Ａ，２２Ｂを有する略長方形（例えば、Ｂ２サイズ）に形成された１枚の紙である。なお、シート本体２は、紙に限定されるものではなく、合成樹脂などのシート、膜、薄板など、厚みが薄い面状材であればよい。
【００２０】
シート本体２の両面には、広告、図、文字などの情報の印刷が施される。図２では、折り重ねられる前のシート本体２の左上領域１１、右上領域１２、左下領域１３及び右下領域１４となる範囲が、二点鎖線によって囲まれている。
【００２１】
本実施の形態の折込み広告１は、左側の領域（左上領域１１及び左下領域１３）が広くなっており、右側の領域（右上領域１２及び右下領域１４）が狭くなっている。
【００２２】
左側の領域（左上領域１１及び左下領域１３）では、短辺２１Ａに平行となる折目線２３Ａで折り曲げることで、左上領域１１の下層１１ｂの上に上層１１ａを折り重ね、左下領域１３の下層１３ｂの上に上層１３ａを折り重ねる。
【００２３】
一方、右側の領域（右上領域１２及び右下領域１４）では、短辺２１Ｂに平行となる折目線２３Ｂで折り曲げることで、右上領域１２の下層１２ｂの上に上層１２ａを折り重ね、右下領域１４の下層１４ｂの上に上層１４ａを折り重ねる。
【００２４】
要するに、各領域１１，１２，１３，１４において、上層１１ａ，１２ａ，１３ａ，１４ａと下層１１ｂ，１２ｂ，１３ｂ，１４ｂとを対峙させて積層した二層構造が形成される。
【００２５】
この二層構造となる部分の上層１１ａ，１２ａ，１３ａ，１４ａを捲る箇所は、周囲に弱接合層４Ａ−４Ｌを設けることで、剥離可能となるように接合される。この接合には、接着後に再び手で剥離することができる剥離糊（軽剥離性接着剤）などが使用される。
【００２６】
詳細には図２に示すように、左上領域１１の周縁となる箇所には、上層１１ａと下層１１ｂの周縁に沿って内側が囲繞されるように剥離糊などが塗布された弱接合層４Ａ，４Ｂ，４Ｃが設けられる。
【００２７】
また、右上領域１２の周縁となる箇所には、上層１２ａと下層１２ｂの周縁に沿って内側が囲繞されるように剥離糊などが塗布された弱接合層４Ｄ，４Ｅ，４Ｆが設けられる。
【００２８】
さらに、左下領域１３の周縁となる箇所には、上層１３ａと下層１３ｂの周縁に沿って内側が囲繞されるように剥離糊などが塗布された弱接合層４Ｇ，４Ｈ，４Ｉが設けられる。
【００２９】
そして、右下領域１４の周縁となる箇所には、上層１４ａと下層１４ｂの周縁に沿って内側が囲繞されるように剥離糊などを塗布された弱接合層４Ｊ，４Ｋ，４Ｌが設けられる。
【００３０】
また、右下領域１４には、折込み広告１の右下角部となる位置に分離領域としてのはがき本体３が設けられる。このはがき本体３は、下層３ｂとそれに積層させる上層３ａとが、接着層３３によって接着されて一体化される。
【００３１】
接着層３３は、接着剤を塗布することによって形成される。この接着剤には、接着力の強い材料が使用され、接着後に下層３ｂから上層３ａを剥離させることはない。
【００３２】
はがき本体３は、形状（大きさ）及び重さの下限値と上限値とが決められている第二種郵便物の通常はがきであっても、重さの下限値の制限のない第一種郵便物の定形郵便物であってもよい。下層３ｂと上層３ａとを接着して一体化させるので、シート本体２が薄い紙であっても重さの下限値を上回るようにすることができる。
【００３３】
このはがき本体３の周囲には、同様に接着層３１ａによって接着されて一体の二層構造となる枠部３１が設けられる。枠部３１とはがき本体３とは、図３に示すように切取線３２を介して繋がっている。
【００３４】
この切取線３２は、手で切り取れるようにミシン目とすることができる。また、間隔を置いて点状にアンカット部を残して切り込みを入れる構成であってもよい。この切取線３２の周囲には、その存在が目立つように切取り目印３２ａが印刷される（図１参照）。
【００３５】
上述したようにして折り重ねられる各領域１１−１４間の上層１１ａ，１２ａ，１３ａ，１４ａ同士は、図３に示すように分離している。すなわち、左上領域１１と右上領域１２の上層１１ａ，１２ａ間は、短辺２１Ａ，２１Ｂ同士を対峙させただけなので、もともと分離している。また、短辺２１Ａ，２１Ｂ同士を対峙させただけの左下領域１３と右下領域１４の上層１３ａ，１４ａ間も、同様に分離している。
【００３６】
一方、左上領域１１と左下領域１３の上層１１ａ，１３ａ間は、もともと繋がっているため、シート本体２の上層２ａのみに切込１５Ａ，１５Ｂを設けることによって切り離される。この切込１５Ａ，１５Ｂは、折目２４を挟んで平行に設けられる。
【００３７】
また、右上領域１２と右下領域１４の上層１２ａ，１４ａ間も、シート本体２の上層２ａのみに切込１５Ａ，１５Ｂを設けることによって切り離される。さらに、右下領域１４においては、シート本体２の上層２ａのみに切込１５Ｃを設けることによって、はがき本体３の枠部３１とその上方部分とが切り離される。
【００３８】
このように上層１１ａ，１２ａ，１３ａ，１４ａ同士が分離していれば、図１に示すように各上層１１ａ，１２ａ，１３ａ，１４ａをそれぞれ捲ることができる。なお、各上層１１ａ−１４ａには、捲る箇所がわかりやすくなるように角部に目印１３１，１４１などを印刷しておくことができる。
【００３９】
次に、図面を参照しながら本実施の形態の折込み広告１の製作方法及び使用方法について説明する。
【００４０】
まず、ロール紙から紙片を引き出し、両面印刷機（図示せず）によってシート本体２の第一面及び第二面の両面に印刷を行う。すなわち、はがき本体３を含む各領域１１−１４において広告等するのに必要な印刷は、この工程ですべて行う。
【００４１】
印刷後に、リワインダー装置（図示せず）によって巻き取られた紙片をオフライン加工機（図示せず）にセットし、再び引き出された印刷済みの紙片（シート本体２）に対して、図２に示すように、第一面の所定の範囲に剥離糊を塗布して、弱接合層４Ａ−４Ｌを形成する。さらに、第一面のはがき本体３及び枠部３１となる範囲に接着剤を塗布して、接着層３３，３１ａを形成する。
【００４２】
次に、紙片を折り重ねる工程に移行する。まず、シート本体２ごとに切断された紙片（例えばＢ２サイズの紙片）を、図２に一点鎖線で示した折目線２３Ａ，２３Ｂで谷折りに折り曲げ、左右の短辺２１Ａ，２１Ｂ同士を対峙させて二層構造とする。
【００４３】
図３は、二層構造となった状態を示している。Ｂ２サイズのシート本体２をこのように折り重ねるとＢ３サイズとなる。また、各領域１１−１４においては、下層１１ｂ−１４ｂの上に折り重ねられた上層１１ａ−１４ａが表面に露出した状態となる。
【００４４】
ここで、左右の短辺２１Ａ，２１Ｂは、互いに接することなく、数ミリの間隙を介して対峙させる。なお、この段階ではまだ、図３に示した切込１５Ａ−１５Ｃは設けられていない。折り重ねられた各領域１１−１４は加圧されることで、弱接合層４Ａ−４Ｌ及び接着層３３，３１ａが貼り合わされる。
【００４５】
続いて、下層１１ｂ−１４ｂの上に上層１１ａ−１４ａが積層された状態のまま、ダイカッタで切込みやミシン目を入れる工程に移行する。
【００４６】
はがき本体３を形成する領域では、はがき本体３の形状に合わせて切取線３２となる箇所にミシン目を入れる。この切取線３２は、上層３ａから下層３ｂまで貫通するように設けられる。
【００４７】
これに対して各領域１１−１４間の切込１５Ａ−１５Ｃは、上層２ａ（１１ａ−１４ａ）のみをダイカッタで切り込むことで設けられる。この切込１５Ａ，１５Ｂによって、左上領域１１と左下領域１３の上層同士１１ａ，１３ａ、及び右上領域１２と右下領域１４の上層１２ａ，１４ａ同士は分離される。また、切込１５Ｃによって、右下領域１４の中で、上層１４ａと枠部３１とが分離される。
【００４８】
このように切込１５Ａ−１５Ｃを入れても、その周辺は弱接合層４Ｃ，４Ｆ，４Ｈ，４Ｊ，４Ｌによって接合されているので、浮き上がったり、めくれたりすることがない。
【００４９】
ここまでは、印刷、接着剤等の塗布、シート本体２の折り重ね、及び裁断に至るまで一貫した工程で行うことができる。そして、次に説明する折り畳む工程についても、これに連続して行うことができるが、別途、新聞販売店などで行うこともできる。
【００５０】
折り畳む工程では、図３に示すように切込１５Ａ，１５Ｂ間の中央に、これらと平行となるように折目２４を入れる。そして、すべての領域１１−１４の上層１１ａ−１４ａが露出面となるように折込み広告１を折り畳む。
【００５１】
具体的には、図４に示すように、シート本体２の下層２ｂ同士が対峙して上層２ａ，２ａが両側の表面となるように、折目２４で山折りにする。Ｂ３サイズの二層構造の折込み広告１を、折目２４で半分に折り畳むと、Ｂ４サイズとなる。
【００５２】
このようにして製作された折込み広告１は、新聞の折込みチラシなどとして利用者に配布される。折込み広告１を受け取った利用者は、まず両面に露出した各領域１１−１４の上層１１ａ−１４ａに印刷された文字、図などの情報を視認する。
【００５３】
これらの広告情報等に関心を持った利用者は、さらに情報を収集するために、図１の目印１３１，１４１部分などを保持して各領域１１−１４の上層１１ａ−１４ａを引き剥がしていく。
【００５４】
下層１１ｂ−１４ｂと上層１１ａ−１４ａとは剥離糊によって接合されているだけなので、簡単に手で剥離させて折込み広告１を開くことができる。そして、展開された折込み広告１の両面に印刷された利用方法などを読んで関心を持った利用者は、切取線３２からはがき本体３を切り離す。
【００５５】
このはがき本体３は、上層３ａと下層３ｂとが一体に接着されているので、取り外すと折込み広告１の右下隅が切り欠かれた状態になる。図５は、はがき本体３が切り取られるとともに、すべての上層１１ａ−１４ａが捲られた状態の折込み広告１を示している。
【００５６】
次に、本実施の形態の折込み広告１の作用について説明する。
【００５７】
このように構成された本実施の形態の折込み広告１は、両面に印刷が施されたシート本体２が折り重ねられた二層構造を備えている。そして、二層構造となる部分には少なくとも４つの領域１１−１４が形成され、それぞれの上層１１ａ−１４ａが捲れるようになっている。さらに、上下の領域（１１，１２），（１３，１４）間の下層２ｂには折目２４が設けられている。
【００５８】
このため、上層２ａが被らない折目２４によって折込み広告１を小さくきれいに折り畳むことができる。要するに上層２ａと下層２ｂが重なって二重になった箇所よりも、下層２ｂ一枚だけの箇所の方が簡単かつきれいに折り曲げることができる。
【００５９】
そして、Ｂ２サイズという大判のシート本体２の両面に印刷を施していても、Ｂ３サイズの二層構造に圧着して、さらにＢ４サイズに折り畳むことによって、新聞に折り込むことができるようになる。さらに、シート本体２のサイズをＢ３サイズにすれば、Ｂ４サイズの二層構造の１枚のシート状になるので、折り込み料金を削減することができる。
【００６０】
また、４つ以上の剥離可能な箇所（１１ａ−１４ａ）が設けられるので、利用者は捲る楽しみを存分に味わうことができる。特に、折目２４によってすべての領域１１−１４の上層１１ａ−１４ａが露出面となるように折り畳まれていれば、折込み広告１を受け取った利用者は、多くの剥離可能な箇所があることを一度に把握することができる。
【００６１】
さらに、上層１１ａ−１４ａを捲ることで、そこに隠されていた上層１１ａ−１４ａの裏面と下層１１ｂ−１４ｂの表面に印刷された新たな情報及び図を知ることができる。
【００６２】
そして、剥がされた上層１１ａ−１４ａは、下層１１ｂ−１４ｂと繋がっているので、シールの剥離紙のようにゴミになることがなく、一枚の大きな折込み広告１の両面に印刷された情報を繰り返し見直すことができる。
【００６３】
また、下層３ｂと上層３ａとが接着されて一体となった状態で取り外し可能となるはがき本体３は、シート本体２が薄い紙の場合でも重さの下限値（２ｇ）がある第二種郵便物の通常はがきにすることができる。
【００６４】
以上、図面を参照して、本発明の実施の形態を詳述してきたが、具体的な構成は、この実施の形態に限らず、本発明の要旨を逸脱しない程度の設計的変更は、本発明に含まれる。
【００６５】
例えば、前記実施の形態では、新聞の折込み広告１として配布されるシート状印刷物について説明したが、これに限定されるものではない。例えば、ダイレクトメール、住戸の郵便受けに投函される広告、街頭や店頭で配布される広告、又は雑誌や本の綴込みなどに本発明のシート状印刷物を使用することができる。
【００６６】
また、前記実施の形態では、二層構造となる部分に左上領域１１、右上領域１２、左下領域１３及び右下領域１４の４つの領域を設ける場合について説明したが、これに限定されるものではなく、５つ以上の領域を二層構造となる部分に設けることもできる。
【００６７】
さらに、前記実施の形態では、分離領域を右下領域１４に設けられるはがき本体３として説明したが、これに限定されるものではない。分離領域は、いずれの領域１１−１４に設けられてもよいし、複数の領域に設けられていてもよい。また、分離領域を、アンケート用紙やクーポン券などにすることもできる。
【００６８】
さらに、前記実施の形態では、上下の領域（１１，１２），（１３，１４）間の下層２ｂに折目２４が設けられる場合について説明したが、これに限定されるものではなく、左右の領域（１１，１３），（１２，１４）間（短辺２１Ａ，２１Ｂ間）の下層２ｂに折目を設けることもできる。
【符号の説明】
【００６９】
１              折込み広告（シート状印刷物）
１１            左上領域
１１ａ−１４ａ  上層
１２            右上領域
１３            左下領域
１４            右下領域
１５Ａ，１５Ｂ  切込
２              シート本体
２ａ            上層
２ｂ            下層
２４            折目
３              はがき本体（分離領域）
４Ａ−４Ｌ      弱接合層
【図１】
2016047620.tif 000003
【図２】
2016047620.tif 000004
【図３】
2016047620.tif 000005
【図４】
2016047620.tif 000006
【図５】
2016047620.tif 000007